(57)【要約】【課題】年齢や身体的機能等の個人差を考慮した表示や、子供等による誤った操作を受付けない給湯機用リモコンを提供する。【解決手段】スイッチ操作部に設けられた指紋センサと、指紋情報及び個人表示情報又は受付可否情報を備えた個人データを複数格納する記憶部と、前記指紋センサが識別した指紋に対応する指紋情報を具備する前記個人データを前記記憶部から選択し、選択された個人データから個人表示情報を取り出す選択手段と、前記取り出された個人表示情報に適合した表示を行なう表示部を設けた。又、前記受付可否情報に基づいて操作受付の可否を決定する制御部を設けた。【選択図】  図４
2005003328.tif 000002
【特許請求の範囲】
【請求項１】
スイッチ操作部に設けられた指紋センサと、
指紋情報及び個人表示情報を備えた個人データを複数格納する記憶部と、
前記指紋センサが識別した指紋に対応する指紋情報を具備する前記個人データを前記記憶部から選択し、選択された個人データから個人表示情報を取り出す選択手段と、
前記取り出された個人表示情報に適合した表示を行なう表示部を備えた、給湯機用リモコン。
【請求項２】
請求項１に記載の給湯機用リモコンに於いて、
前記個人表示情報を入力する為の個人情報入力部と、
前記指紋センサが識別した指紋を表す指紋情報と前記個人情報入力部から入力された前記個人表示情報を一組の個人データとして前記記憶部に記憶させる書き込み操作部を備えた、給湯機用リモコン。
【請求項３】
スイッチ操作部に設けられた指紋センサと、
指紋情報及びスイッチ操作の受付可否情報を備えた個人データを複数格納する記憶部と、
前記指紋センサが識別した指紋に対応する指紋情報を具備する前記個人データを前記記憶部から選択し、選択された個人データから受付可否情報を取り出す選択手段と、
前記取り出された受付可否情報に基づいて前記スイッチ操作の操作受付の可否を決定する受付可否判定手段とを備えた、給湯機用リモコン。
【請求項４】
請求項３に記載の給湯機用リモコンに於いて、
前記受付可否情報を入力する為の個人情報入力部と、
前記指紋センサが識別した指紋を表す指紋情報と前記個人情報入力部から入力された前記受付可否情報を一組の個人データとして前記記憶部に記憶させる書き込み操作部を備えた、給湯機用リモコン。
【発明の詳細な説明】
【０００１】
【発明の属する技術分野】
本発明は、給湯機用リモコンに関するもので、リモコン操作者の個人情報に基づいて適切な表示や制御が行なえるようにしたものである。
【０００２】
【従来の技術】
給湯機を遠隔操作する為の従来の給湯機用リモコンの前面部には、給湯機の運転状態や給湯温度等を表示する表示部と、運転スイッチ操作部や温度設定スイッチ操作部等が配設されている。
【０００３】
このものでは、前記運転スイッチ操作部を操作すると給湯機用リモコンの表示部には給湯機の運転状態が表示されると共に、温度設定スイッチ操作部を操作すると前記表示部の温度表示が変化し、該温度表示を見ながら給湯温度の変更や確認が行なえるようになっている。又、湯張りスイッチ操作部を操作すると、前記表示部には湯張り運転中であることを示す表示や湯張り温度が表示され、湯張りの進捗状況等が確認できる。
【０００４】
【特許文献１】
特開平１０−４９０５９号公報（図１）
【０００５】
【発明が解決しようとする課題】
しかしながら、年齢や身体的機能等について個人差のある種々の人に販売され、使用されるこの種給湯機用リモコンでは、表示部に表示される文字の大きさや色（色相、明度、彩度）が画一化されていると、高齢者や色覚が不完全な者にとっては表示の視認が困難な場合がある。
又、子供が誤って操作すると、給湯機が始動し、風呂の湯張り等の予期しない動作が進行する等の問題もあった。
【０００６】
本発明は、かかる点に鑑みて成されたもので、年齢や身体的機能等の個人差を考慮した表示や、子供等による誤った操作を受付ないようにし、これにより、適切な表示や制御を可能にすることを課題とする。
【０００７】
【課題を解決するための手段】
［１項］
上記課題を解決するための本発明の技術的手段は、
『スイッチ操作部に設けられた指紋センサと、
指紋情報及び個人表示情報を備えた個人データを複数格納する記憶部と、
前記指紋センサが識別した指紋に対応する指紋情報を具備する前記個人データを前記記憶部から選択し、選択された個人データから個人表示情報を取り出す選択手段と、
前記取り出された個人表示情報に適合した表示を行なう表示部を備えた』ことである。
上記技術的手段によれば、リモコン操作者が給湯機用リモコンのスイッチ操作部を操作すると、該スイッチ操作部に接触する指の指紋が指紋センサで識別される。
【０００８】
すると、選択手段は、上記識別された指紋に対応する指紋情報を備えた個人データを記憶部から選択すると共に、該個人データから個人表示情報（例えば、表示すべき文字サイズや色補正等の情報）を取り出す。そして、表示部は、前記取り出された個人表示情報に適合した表示を行なう。
従って、高齢者や色覚が不完全な者に対しても、大きなサイズの文字や色の見易い表示を提供することができる。
【０００９】
［２項］
前記１項に於いて、
『前記個人表示情報を入力する為の個人情報入力部と、
前記指紋センサが識別した指紋を表す指紋情報と前記個人情報入力部から入力された前記個人表示情報を一組の個人データとして前記記憶部に記憶させる書き込み操作部を備えた』ものでは、書き込み操作部を操作すると、スイッチ操作部の指紋センサで識別された指紋を表す指紋情報と、個人情報入力部から入力された個人表示情報が一組の個人データとして、記憶部に記憶される。そして、給湯機の運転時にスイッチ操作部が操作されると、記憶された前記指紋情報と個人表示情報によって、前記１項の表示が行なわれる。
従って、このものでは、使用者が必要に応じて、個人表示情報を設定することができる。
【００１０】
［３項］
上記課題を解決するための本発明の技術的手段は、
『スイッチ操作部に設けられた指紋センサと、
指紋情報及びスイッチ操作の受付可否情報を備えた個人データを複数格納する記憶部と、
前記指紋センサが識別した指紋に対応する指紋情報を具備する前記個人データを前記記憶部から選択し、選択された個人データから受付可否情報を取り出す選択手段と、
前記取り出された受付可否情報に基づいて前記スイッチ操作の操作受付の可否を決定する受付可否判定手段とを備えた』ことである。
上記技術的手段によれば、前記１項のものと同様に指紋が指紋センサで識別されると、選択手段は、前記識別された指紋に対応する指紋情報を備えた個人データを記憶部から選択すると共に、該個人データから受付可否情報を取り出す。すると、受付可否判定手段は、選択された前記受付可否情報に基づいて、前記スイッチ操作を受け付けるか否かを判断し、受け付ける場合は、前記操作に対応する制御を実行する。
【００１１】
従って、例えば、子供の指紋情報とスイッチ操作の受付拒否の情報を一組の個人データとして記憶部に記憶させておけば、子供による誤操作で給湯機が始動して湯張り等の予期しない動作が進行する等の問題がなくなる。
【００１２】
［４項］
前記３項に於いて、
『前記受付可否情報を入力する為の個人情報入力部と、
前記指紋センサが識別した指紋を表す指紋情報と前記個人情報入力部から入力された前記受付可否情報を一組の個人データとして前記記憶部に記憶させる書き込み操作部を備えた』ものでは、書き込み操作部を操作すると、スイッチ操作部の指紋センサで識別された指紋を表す指紋情報と、個人情報入力部から入力された受付可否情報が一組の個人データとして、記憶部に記憶される。
【００１３】
そして、給湯機の運転時にスイッチ操作部が操作されると、記憶された前記指紋情報と受付可否情報によって、前記３項の動作が実行される。
従って、このものでは、使用者が必要に応じて、受付可否情報を設定することができる。
【００１４】
【発明の効果】
本発明は、上記構成であるから次の特有の効果を有する。
１項の発明では、給湯機用リモコンの操作者の指紋を識別することによって、該操作者の個人表示情報に応じた表示を行なうから、高齢者や色覚が不完全な者に対しても、大きなサイズの文字や色の見易い表示を提供することができる。
【００１５】
２項のものでは、既述したように、使用者が必要に応じて個人表示情報を設定することができる。
【００１６】
３項の発明では、既述したように、例えば子供による誤操作で給湯機が始動して湯張り等の予期しない動作が進行する等の問題がなくなる。
【００１７】
４項の発明では、既述したように、使用者が必要に応じて、受付可否情報を設定することができる。
【００１８】
【発明の実施の形態】
次に、上記した本発明の実施の形態を図面に従って詳述する。
図１に示すように、給湯機用リモコン（１）の前面には、運転スイッチをＯＮ・ＯＦＦするための運転スイッチ操作部（１１）と、温度設定スイッチ操作部（１４）を構成する上昇操作部（１４ａ）及び降下操作部（１４ｂ）と、風呂の湯張りスイッチ操作部（１２）と、追焚きスイッチ操作部（１３）と、指紋情報等を登録する際に操作する登録モード操作部（１０）、書き込みスイッチ操作部（１６）と、更に、運転状況や給湯温度Ａ及び風呂温度Ｂ等を表示する表示部（２）が設けられている。又、給湯機用リモコン（１）には、通信ケーブル（３１）を介して給湯機本体（３）が接続されている。
【００１９】
上記運転スイッチ操作部（１１）〜温度設定スイッチ操作部（１４）は同一構成を有している。これら運転スイッチ操作部（１１）〜温度設定スイッチ操作部（１４）の構成は、図２に示すように、リモコンケース（１８）の操作部の表面に覆設された可撓性シート（１９）の表面にシート状の指紋センサ（４０）が積層された構成となっている。そして、上記可撓性シート（１９）は、リモコンケース（１８）内に設けられたスイッチ本体（Ｓ）の操作軸（Ｓ１）の先端に接触しており、指（Ｆ）で各運転スイッチ操作部（１１）〜温度設定スイッチ操作部（１４）が押されると、可撓性シート（１９）が撓んでスイッチ本体（Ｓ）の操作軸（Ｓ１）が押し込まれる。
【００２０】
図６に示すように、上記給湯機用リモコン（１）に組み込まれた制御装置（５０）には、上記運転スイッチ操作部（１１）〜温度設定スイッチ操作部（１４）に積層された指紋センサ（４０）（４０）やスイッチ本体（Ｓ）（Ｓ）が接続されており、これにより、指紋センサ（４０）（４０）で識別された指紋情報や、スイッチ本体（Ｓ）（Ｓ）のＯＮ・ＯＦＦ信号が制御装置に入力されるようになっている。又、制御装置（５０）によって表示部（２０）に運転状態や給湯温度等の表示が行なわれるようになっている。
【００２１】
又、上記制御装置（５０）には、図３，４の動作を実行するマイクロコンピュータが組み込まれていると共に、該マイクロコンピュータの記憶部たるメモリー内には、図５に示す個人情報テーブルが格納されている。
【００２２】
この個人情報テーブルは、個人番号Ｆ１，指紋情報Ｆ２たる指紋パターン，個人表示情報たる文字サイズ情報Ｆ３及び色補正情報Ｆ４、運転受付可否情報Ｆ５、氏名情報Ｆ６、追焚き受付可否情報Ｆ７、及び給湯温度の設定許容範囲を示す温度範囲情報Ｆ８が格納されるようになっている。
【００２３】
図３は、指紋情報や個人表示情報等を設定するときのマイクロコンピュータの動作を説明するフローチャートである。
指紋情報等を設定するときは、先ず、登録モード操作部（１０）を操作し（ステップ（ＳＴ１）参照）、その後、個人番号Ｆ１をセットする。具体的には、上昇操作部（１４ａ）を操作すると登録すべき個人番号Ｆ１（表示部（２）に表示される）が増加する一方、降下操作部（１４ｂ）を操作すると登録すべき個人番号Ｆ１が減少する。このように上昇操作部（１４ａ）と降下操作部（１４ｂ）の操作によって登録すべき個人番号Ｆ１を決定した後に書き込みスイッチ操作部（１６）を操作すると、該決定された個人番号Ｆ１がマイクロコンピュータの個人情報テーブル（図５参照）の左端の欄に書き込まれる（ステップ（ＳＴ２）参照）。
【００２４】
次に、指紋センサ（４０）が設けられた運転スイッチ操作部（１１）〜温度設定スイッチ操作部（１４）の何れかの表面に指（Ｆ）を接触させた（図２参照）状態で書き込みスイッチ操作部（１６）を操作すると、該指（Ｆ）の指紋パターンが指紋情報Ｆ２の欄に書き込まれる（ステップ（ＳＴ３）参照）。次に、上昇操作部（１４ａ）や降下操作部（１４ｂ）を操作することによって表示部（２）に表示すべき文字サイズを大・中・小の何れにするかの文字サイズ情報Ｆ３を選択し、その後、書き込みスイッチ操作部（１６）を操作することによって該文字サイズ情報Ｆ３を設定する（ステップ（ＳＴ４）参照）。従って、高齢者等では文字サイズを「大」に設定することによって、該高齢者にとって視認し易い表示とすることができる。
【００２５】
次に、上昇操作部（１４ａ）や降下操作部（１４ｂ）を操作することによって表示すべき文字や図柄の色補正情報Ｆ４を選択し、その後、書き込みスイッチ操作部（１６）を操作することによって該色補正情報Ｆ４を設定する（ステップ（ＳＴ５）参照）。具体的には、上昇操作部（１４ａ）を１回操作すると、表示部（２）に表示される色相が標準色相から青側に１レベル補正され、２回操作すると青側に２レベル補正される一方、同様に、降下操作部（１４ｂ）の操作回数と同じ数のレベルだけ前記色相が標準色相から赤側に補正される。そして、このように色相を補正した後、書き込みスイッチ操作部（１６）を操作すると、色補正情報Ｆ４が設定される（ステップ（ＳＴ５）参照）。従って、使用者の色覚に応じて適正な色相に補正することができる。
【００２６】
次に、上昇操作部（１４ａ）や降下操作部（１４ｂ）を操作することによって運転受付可否情報Ｆ５をセットする。具体的には、上昇操作部（１４ａ）を操作すると器具操作の受付許可を意味する「ＯＫ」が選択される一方、降下操作部（１４ｂ）を操作すると器具操作の受付拒否を意味する「ＮＯ」が選択され、この状態で書き込みスイッチ操作部（１６）を操作すると、該運転受付可否情報Ｆ５が個人情報テーブルに格納される（ステップ（ＳＴ６）参照）。
【００２７】
次に、ステップ（ＳＴ７）で氏名情報Ｆ６をセットして書き込みスイッチ操作部（１６）を操作すると、設定された氏名情報Ｆ６が個人情報テーブルに格納される。具体的には、上昇操作部（１４ａ）や降下操作部（１４ｂ）を操作することにより、５０音の文字が適宜表示部（２）に表示され、その文字が表示される毎に補助スイッチ（５８）を操作して当該文字を一文字ずつ確定し、これにより、氏名情報をセットした後、書き込みスイッチ操作部（１６）を操作する。
【００２８】
次に、上昇操作部（１４ａ）や降下操作部（１４ｂ）を操作することにより、既述運転受付可否情報Ｆ５の設定作業と同様にして、追焚き受付可否情報Ｆ７をセットする（ステップ（ＳＴ８）参照）。
【００２９】
最後に、ステップ（ＳＴ９）で、給湯温度の設定許容範囲を示す温度範囲情報Ｆ８を、上昇操作部（１４ａ）や降下操作部（１４ｂ）を操作することによってセットし、その後、書き込みスイッチ操作部（１６）を操作する。
このようにして、図５に示す個人情報テーブルに各情報を個人別に格納させる。
【００３０】
次に、運転スイッチ操作部（１１）が操作された場合の給湯機用リモコン（１）の動作を図４のフローチャートに従って説明する。
先ず、ステップ（ＳＴ１１）で運転スイッチ操作部（１１）が操作されたことが確認されると、ステップ（ＳＴ１２）で、図５の個人情報テーブルから個人番号Ｆ１〜温度範囲情報Ｆ８で構成される個人データを、前記個人番号Ｆ１順にサーチする。そして、図５の個人情報テーブルから、運転スイッチ操作部（１１）を押した指（Ｆ）の指紋パターンと一致する指紋パターンの個人データ（図５に示す特定の指紋パターンと同行の情報群）を選択してこれを読み込む。そして、読み込んだ個人データに属する氏名情報Ｆ６の内容（氏名）を表示部（２）に表示する。従って、本実施の形態では、運転スイッチ操作部（１１）を押した指（Ｆ）の指紋パターンと一致する指紋パターンの個人データを図５の個人情報テーブルから選択するマイクロコンピュータの機能部が、既述発明特定事項たる選択手段に対応する。
【００３１】
又、前記読み込んだ特定の個人データの運転受付可否情報Ｆ５の内容が受付拒否を示す「ＮＯ」である場合は、子供等による誤操作と判断し、運転操作を受け付けることなく、制御動作をステップ（ＳＴ１１）に復帰させる（ステップ（ＳＴ１３）参照）。尚、本実施の形態では、ステップ（ＳＴ１３）を実行するマイクロコンピュータの機能部が、既述発明特定事項たる受付可否判定手段に対応する。
【００３２】
一方、運転受付可否情報Ｆ５の内容が受付許可を意味する「ＯＫ」の場合は、ステップ（ＳＴ１４）で文字サイズ情報Ｆ３の内容を判断し、その内容に応じて表示すべき文字サイズを大・中・小に切り替える（ステップ（ＳＴ１５）〜（ＳＴ１７）参照）。この場合、文字サイズ情報Ｆ３の内容が「大」である場合には、大サイズの文字等が表示され、高齢者に視認し易い表示を実現することができる。
【００３３】
次に、ステップ（ＳＴ１８）で色補正情報Ｆ４の内容が判断され、その内容に応じて表示部（２）の表示色を青側又は赤側に補正し、これにより、使用者（運転スイッチ操作部（１１）の操作者）の色覚に応じて表示部（２）を適正な色相に補正する。
【００３４】
尚、湯張りスイッチ操作部（１２）〜温度設定スイッチ操作部（１４）が操作された場合も、上記と同様に、個人番号Ｆ１〜温度範囲情報Ｆ８の内容が図５の個人情報テーブルから読み出され、上記と同様の制御が行なわれる。
【００３５】
又、図４では、運転スイッチ操作部（１１）が操作された場合を説明したが、追焚きスイッチ操作部（１３）が操作された場合は、図４のステップ（ＳＴ１１）で追焚きスイッチ操作部（１３）が操作されたか否かを判断すると共に、ステップ（ＳＴ１３）で追焚き受付可否情報Ｆ７の内容を判断し、更に、その他は図４と同様な制御を行なった後、給湯機本体（３）に追焚き動作を指示する。
【００３６】
更に、本実施の形態のものでは、指紋センサ（４０）で識別された指紋に対応する指紋パターンが、図５の個人情報テーブルに登録されていない場合は、マイクロコンピュータに格納された標準的な表示や制御動作を実行するようになっている。
【００３７】
尚、音声報知機能を備えた給湯機用リモコン（１）では、図５の個人情報テーブルに言語情報を追加格納すれば、前記言語情報に適合した言語で音声報知することができる。
更に、前記言語情報に応じて、表示部（２）に漢字表示や平仮名表示、更には、英語表示等の種々の表示を行なわせることができる。
【図面の簡単な説明】
【図１】本発明の実施の形態に係る給湯機用リモコン（１）と給湯機本体（３）の接続状態の概念図
【図２】指紋センサ（４０）を備えたスイッチ操作部の要部断面図
【図３】制御動作を説明するフローチャート
【図４】制御動作を説明するフローチャート
【図５】個人情報テーブルの説明図
【図６】制御装置（５０）と指紋センサ（４０）等の接続状態を示す概略図
【符号の説明】
（２）・・・表示部
（１６）・・・書き込み操作部
（４０）・・・指紋センサ
【図１】
2005003328.tif 000003
【図２】
2005003328.tif 000004
【図３】
2005003328.tif 000005
【図４】
2005003328.tif 000006
【図５】
2005003328.tif 000007
【図６】
2005003328.tif 000008